(57)【要約】      （修正有）【課題】情報記載物のコピーをコピー用紙の所定の位置に簡単にコピーすることができるコピー用台紙を提供する。【解決手段】情報記載物をコピー機によりコピー用紙の所定位置にコピーするためのコピー用台紙１０であって、基材シートと、この基材シートに重ねられた剥離シート１３とを備え、剥離シート１３にはその一部を除去するためのループ状切れ目１４が設けられると共に、基材シートのループ状切れ目１４の内側領域には情報記載物を貼り付けて仮保持するための粘着剤層が形成されている。【選択図】図１
0003201706.tif 000002
【実用新案登録請求の範囲】
【請求項１】
情報記載物をコピー機によりコピー用紙の所定位置にコピーするためのコピー用台紙であって、基材シートと、この基材シートに重ねられた剥離シートとを備え、前記剥離シートにはその一部を除去するためのループ状切れ目が設けられると共に、前記基材シートの前記ループ状切れ目の内側領域には前記情報記載物を貼り付けて仮保持するための粘着剤層が形成されているコピー用台紙。
【請求項２】
前記剥離シートには、前記ループ状切れ目の外側又は前記ループ状切れ目と共に前記情報記載物のサイズに応じた貼り付け位置指示枠が表示されている請求項１に記載のコピー用台紙。
【請求項３】
前記粘着剤層は前記基材シートの全面に形成されている請求項１または請求項２に記載のコピー用台紙。
【請求項４】
前記ループ状切れ目は複数箇所に設けられている請求項１ないし請求項３のいずれか一項に記載のコピー用台紙。
【請求項５】
前記剥離シートのうち前記ループ状切れ目又は前記貼り付け位置指示枠の内側領域には、貼り付けるべき情報記載物の種別を示す文字が表示されている請求項２ないし請求項４のいずれか一項に記載のコピー用台紙。
【請求項６】
前記剥離シートのうち前記ループ状切れ目又は前記貼り付け位置指示枠の内側領域には、前記情報記載物のコピー手順を示す文字が表示されている請求項２ないし請求項５のいずれか一項に記載のコピー用台紙。
【請求項７】
前記剥離シートのうち前記貼り付け位置指示枠の外側領域には、前記情報記載物に記載された情報の利用目的を示す文字が表示されている請求項２ないし請求項６のいずれか一項に記載のコピー用台紙。
【請求項８】
前記利用目的は複数種が記載され、それらを選択するチェック欄が併せて表示されている請求項７に記載のコピー用台紙。
【請求項９】
前記剥離シートのうち前記貼り付け位置指示枠の外側領域には、提出者名の記載欄が設けられている請求項２ないし請求項８のいずれか一項に記載のコピー用台紙。
【請求項１０】
前記剥離シートのうち前記貼り付け位置指示枠の外側領域には、コピー手順を示す文字がコピー不能なインキにより表示されている請求項２ないし請求項９のいずれか一項に記載のコピー用台紙。
【請求項１１】
前記ループ状切れ目は複数設けられ、前記貼り付け位置指示枠は、個人番号通知カードと、個人の身元確認書類に対応したサイズに設定されている請求項２ないし請求項１０のいずれか一項に記載のコピー用台紙。
【請求項１２】
前記剥離シートのうち前記貼り付け位置指示枠の外側領域には、国民年金第３号被保険者である配偶者の情報表示部が設けられており、前記情報表示部に前記ループ状の切れ目が設けられている請求項２ないし請求項１１のいずれか一項に記載のコピー用台紙。
【請求項１３】
前記剥離シートのうち前記貼り付け位置指示枠の外側領域には、委任状が表示されている請求項２ないし請求項１２のいずれか一項に記載のコピー用台紙。
【請求項１４】
前記剥離シートのうち前記ループ状切れ目の内側領域には、その内側領域を剥がし取る際の起点部分を示すマークが表示されている請求項１ないし請求項１３のいずれか一項に記載のコピー用台紙。
【考案の詳細な説明】
【技術分野】
【０００１】
本明細書に開示される技術は、コピー用台紙に関する。
【背景技術】
【０００２】
平成２８年１月から、社会保障、税、災害対策の分野で効率的に情報を管理するべくマイナンバー社会保障・税番号制度が導入されることになっている。マイナンバー（個人番号）は住民票を有する全ての人に付与され、年金、雇用保険、医療保険の手続き、福祉の給付、確定申告などの税の手続きにおいて、申請時に提示が求められる。このため、民間企業や団体等において、従業員の健康保険や厚生年金の加入手続きを行ったり、従業員の給料から源泉徴収して税金を納めたりするために、本人や扶養家族のマイナンバーを収集し、管理する必要がある。
【先行技術文献】
【特許文献】
【０００３】
【特許文献１】実用新案登録第３１９９２０８号
【考案の概要】
【考案が解決しようとする課題】
【０００４】
マイナンバーを従業員から収集するにあたっては、
(1)個人番号カードのコピー
(2)個人番号が表示された書類（個人番号通知カードや住民票等）および本人確認書類（運転免許証やパスポート等）の両方のコピー
のどちらか一方を従業員に提出してもらい、企業等において内容を確認しつつ、企業等が所有している管理ソフトに入力したり、紙媒体である個人情報管理シートに転記またはコピーを貼り付けたりしなければならない。
【０００５】
しかし、いずれにしても大量の書類（コピー）を処理しなければならないため、各従業員がバラバラの形式でコピーを提出するのでは、処理が煩わしい。コピーが既定の形式でなされれば、例えば機械による自動読み込みや、紙媒体への所定位置へのコピー等も可能となり、処理業務が大幅に改善される。
【０００６】
本明細書に開示される技術は、情報記載物のコピーを所定の位置に簡単にコピーすることができるコピー用台紙を提供することを目的とするものである。
【課題を解決するための手段】
【０００７】
本明細書に開示される技術は、情報記載物をコピー機によりコピー用紙の所定位置にコピーするためのコピー用台紙であって、基材シートと、この基材シートに重ねられた剥離シートとを備え、前記剥離シートにはその一部を除去するためのループ状切れ目が設けられると共に、前記基材シートの前記ループ状切れ目の内側領域には前記情報記載物を貼り付けて仮保持するための粘着剤層が形成されていることを特徴とする。
【０００８】
上記コピー用台紙によれば、まず、ループ状切れ目に沿ってその内側領域を引き剥がすことにより、コピー用台紙に粘着剤層を露出させる。そして、その粘着剤層に、コピーするべき情報記載物（例えば個人番号カードや個人番号通知カード、運転免許証等）を貼り付けて仮保持させる。これにより、情報記載物がコピー用台紙の所定箇所に配される。
なお、ループ状切れ目とは、その一部がコピー用台紙の縁部と重なっている場合も含み、要は、剥離シートの一部がその周辺領域から切り離されて基材シートから剥離できる構成であることを意味するものである。
【０００９】
次に、情報記載物が仮保持されたコピー用台紙をコピー機の原稿ガラス面の所定位置にセットし、コピー機のコピー開始ボタンを操作する。すると、情報記載物はコピー用紙の所定の位置にコピーされる。
【００１０】
このように、本明細書に開示されるコピー用台紙によれば、ループ状切れ目に沿ってその内側領域を引き剥がし、コピーするべき情報記載物を貼り付け、コピー機によりコピーするという簡単な作業により、コピー用紙の所定位置に情報記載物をコピーすることができる。
【００１１】
上述したコピー用台紙は、以下の構成を備えていてもよい。
【００１２】
剥離シートに、ループ状切れ目の外側又はループ状切れ目と共に情報記載物のサイズに応じた貼り付け位置指示枠が表示されていてもよい。このような構成によれば、コピー用台紙に情報記載物を貼り付ける際に、正確な位置により位置合わせし易くなる。
【００１３】
粘着剤層は基材シートの全面に形成されていてもよい。このような構成によれば、粘着剤層をループ状切れ目の位置に合わせて形成する必要がないので、コピー用台紙を簡単に作製することができる。
【００１４】
ループ状切れ目は複数箇所に設けられていてもよい。このような構成によれば、複数の情報記載物を同時にコピー用紙のそれぞれの所定位置にコピーすることができる。
【００１５】
剥離シートのうちループ状切れ目又は貼り付け位置指示枠の内側領域に、貼り付けるべき情報記載物の種別を示す文字が表示されていてもよい。このような構成によれば、作業者はどのような情報記載物をどこに貼り付けるのかを容易に知ることができる。また、文字は剥離シートのうち剥がされる領域又は情報記載物により隠れる領域に設けられているから、コピー用紙には表示されない。
【００１６】
剥離シートのうちループ状切れ目又は貼り付け位置指示枠の内側領域に、情報記載物のコピー手順を示す文字が表示されていてもよい。コピー手順が表示されることにより、作業者はコピー手順を容易に知ることができる。また、文字は剥離シートのうち剥がされる領域又は情報記載物により隠れる領域に設けられているから、コピー用紙には表示されない。
【００１７】
剥離シートのうち貼り付け位置指示枠の外側領域に、情報記載物に記載された情報の利用目的を示す文字が表示されていてもよい。このような構成によれば、作業者（情報提供者）は、コピーされる情報（情報記載物）の利用目的を確認することができる。また、情報記載物がコピーされたコピー用紙を回収する側は、コピー用台紙を情報提供者に渡すことで情報提供者に利用目的を併せて開示することができるとともに、コピー用紙回収後は、コピー用紙を利用目的を開示した証拠とすることができる。
【００１８】
利用目的は複数種が記載され、それらを選択するチェック欄が併せて表示されている構成としてもよい。このような構成によれば、情報記載物がコピーされたコピー用紙を回収する側は、コピー用台紙を情報提供者に配布するのに先立ってチェック欄にチェックを入れることにより、複数の利用目的の中からどの利用目的のために情報を収集するのかを情報提供者に簡単に示すことができる。
【００１９】
剥離シートのうち貼り付け位置指示枠の外側領域には、提出者名の記載欄が設けられている構成としてもよい。このような構成によれば、情報記載物のコピーが誰により提出されたがが明確になる。
【００２０】
剥離シートのうち貼り付け位置指示枠の外側領域には、コピー手順を示す文字がコピー不能なインキにより表示されていてもよい。貼付け位置指示枠の近辺にコピー手順が表示されることにより、作業者は作業手順を容易に知ることができる。また、文字はコピー後にコピー用紙には表示されないから、コピー用台紙の任意の位置にコピー手順を表示することができる。
【００２１】
ループ状切れ目は複数設けられ、前記貼り付け位置指示枠は、個人番号通知カードと、個人の身元確認書類とに対応したサイズに設定されていてもよい。このような構成によれば、個人番号通知カードと身元確認書類とを一体的にコピーできるから、それぞれの位置合わせが容易である。
【考案の効果】
【００２２】
本明細書に開示される技術によれば、情報記載物のコピーをコピー用紙の所定の位置に簡単にコピーすることができる。
【図面の簡単な説明】
【００２３】
【図１】実施形態１のコピー用台紙の平面図
【図２】図１のＡ−Ａ断面図
【図３】剥離シートの一部を剥した状態の断面図
【図４】コピー用台紙に個人番号通知カードとＩＤカードを貼り付けた状態の平面図
【図５】実施形態２のコピー用台紙の平面図
【図６】実施形態３のコピー用台紙の平面図
【図７】他の実施形態のコピー用台紙の平面図
【考案を実施するための形態】
【００２４】
＜実施形態１＞
実施形態１を図１〜図４を参照して説明する。
【００２５】
本実施形態のコピー用台紙１０は、個人番号通知カードＭ（情報記載物の一例）、および、運転免許証等の個人のＩＤカードＣ（情報記載物、身元確認書類の一例）をコピー用紙（図示せず）の所定の位置にコピーするための台紙である。このコピー用台紙１０は、Ａ５サイズとされている。以下、コピー用台紙１０の短辺方向を縦方向、長辺方向を横方向として説明する。
【００２６】
コピー用台紙１０は、図２に示すように、基材シート１１と、この基材シート１１に重ねられた粘着剤層１２と、粘着剤層１２に剥離可能に重ねられた剥離シート１３と、の三層構造とされている。図１は、剥離シート１３側から見たコピー用台紙１０の平面図である。
【００２７】
コピー用台紙１０のうち剥離シート１３の図１に示す上方側の領域には、剥離シート１３の一部をその周辺領域から切り離すための、２つの略長方形状のループ状切れ目１４が横方向に並んで設けられている。これらのループ状切れ目１４の内側の領域が引き剥がされることで粘着剤層１２が露出するようになっており（図３参照）、露出された粘着剤層１２に個人番号通知カードＭとＩＤカードＣをそれぞれ貼り付けて仮保持させることができるようになっている（図４参照）。
【００２８】
また、剥離シート１３には、個人番号通知カードＭおよびＩＤカードＣの貼り付け位置を示すための２つの指示枠１５（貼り付け位置指示枠の一例）が横方向に並んで印刷されている（図１参照）。
【００２９】
これらの指示枠１５は、横長の長方形状とされた個人番号通知カードＭおよびＩＤカードＣに対応したサイズに設定されている。また上述したループ状切れ目１４は、その横寸法が個人番号通知カードＭおよびＩＤカードＣの横寸法と同等とされるとともに、縦寸法はこれらのカードの縦寸法の約２／５とされており、指示枠１５内の上側約２／５の領域を取り囲むように設けられている。すなわち、ループ状切れ目１４のうち上辺、左辺、右辺の３辺は、指示枠１５の一部と重なって設けられている。
【００３０】
コピー用台紙１０のうち、各ループ状切れ目１４の内側の領域には、それぞれ、貼り付けるカードの種類を指定する文字１６が印刷されている。具体的には、左側のループ状切れ目１４の内側領域には、個人番号通知カードを示す「通知カード」の文字１６が印刷されており、右側のループ状切れ目１４の内側領域には、ＩＤカードを示す「本人確認（免許証）」の文字１６が印刷されている。また、これらのループ状切れ目１４の内側領域の左下端部には、剥離シート１３を引き剥がす際の起点部分を示す三角印１８（起点部分を示すマークの一例）と「ここからはがす」の文字が印刷されている。
【００３１】
またコピー用台紙１０のうち、指示枠１５の内側かつループ状切れ目１４の外側（下側）の領域、すなわち、個人番号通知カードＭあるいはＩＤカードＣが貼り付けられた際に隠れる領域には、コピー用台紙１０の使用手順（コピー手順）を説明する「シールをはがして通知カード（または免許証）を貼りつけて下さい。」の文字１７が印刷されている。
【００３２】
さらに、左側の指示枠１５内側かつ「シールをはがして通知カードを貼りつけて下さい。」の文字１７の下には、「個人番号カードの場合は、マイナンバー記載面を表にして貼りつけて下さい。」の文字が印刷されている。
【００３３】
コピー用台紙１０のうち、指示枠１５の外側かつ上側の領域には、「マイナンバー確認票」の表題と、記入年月日の記載欄が横方向に並んで印刷されている。
【００３４】
また、指示枠１５の外側かつ下側の領域には、マイナンバーの複数の利用目的およびそれらを選択するチェック欄が印刷されている。具体的には、「下記業務のためマイナンバーを収集します」の文字と、６種類の利用目的、すなわち、「支払調書作成業務のため」「給与・退職所得の源泉徴収業務のため」「健康保険・厚生年金保険関係の届出に関する業務のため」「雇用保険関係の届出に関する業務のため」「労働者災害補償保険法関係の届出に関する業務のため」「国民年金第三号被保険者関係の届出に関する業務のため」を示す文字１９が印刷されており、それぞれの文頭にチェック欄２０が設けられている。
【００３５】
さらに、これらの利用目的を示す文字１９の下方側の領域には、会社名、部署名、氏名（提出者）の記載欄が上から順に並んで印刷されている（氏名記載欄を２１とする）。
【００３６】
本実施形態のコピー用台紙１０は以上の通りであり、次に、その使用方法について説明する。
【００３７】
本実施形態のコピー用台紙１０を用いて個人番号通知カードＭおよび身元確認書類としてのＩＤカードＣをコピーする際には、まず、コピー用台紙１０のループ状切れ目１４に沿ってそれらの内側領域を引き剥がすことにより、コピー用台紙１０に設けられている粘着剤層１２を露出させる（図３参照）。そして、露出された粘着剤層１２を含むように設けられている各指示枠１５の内側に、コピーするべき個人番号通知カードＭおよびＩＤカードＣを位置決めし、貼り付ける。これにより、個人番号通知カードＭおよびＩＤカードＣがコピー用台紙１０の所定の箇所に仮保持される（図４参照）。
【００３８】
この時、コピー用台紙１０には指示枠１５が設けられているから、個人番号通知カードＭやＩＤカードＣを貼り付ける際の位置合わせが容易である。また、指示枠１５の内側には作業手順（コピー手順）を示す文字１７が印刷されているから、作業者は印刷された文字１７に従って作業を円滑に進めることができる。
【００３９】
さらに、ループ状切れ目１４の内側には、貼り付けるべきカードの種類を示す文字１６が印刷されているから、作業者はどちらの指示枠１５にどの種類のカードを貼り付けるかを容易に知ることができる。なお、これらの文字１６、１７は剥離シート１３のうち引き剥がされる領域、あるいは、個人番号通知カードＭおよびＩＤカードＣを貼り付けた際に隠れる位置に設けられているから、コピー用紙側には表示されない。
【００４０】
次に、記入年月日記載欄、会社名記載欄、部署名記載欄、氏名記載欄２１に必要情報を記載し、必要であれば押印する。
【００４１】
なお、個人番号通知カードＭおよびＩＤカードＣの貼り付け作業と、これらの記載欄への記載作業とは、順序が逆でもよい。
【００４２】
あるいは、これら記載欄への記載作業は、コピー用紙にコピーした後にコピー用紙に直接行ってもよい。どちらの場合も同様のコピー用紙を得ることができる。
【００４３】
次に、個人番号通知カードＭおよびＩＤカードＣが仮保持されたコピー用台紙１０の上端縁を、コピー機の原稿ガラス面の縁部の所定位置に合うようにセットし、コピー機のコピー開始ボタンを操作する。すると、個人番号通知カードＭおよびＩＤカードＣは、コピー機にセットされているコピー用紙の所定の位置にコピーされる。すなわち、所定の位置に個人番号通知カードＭおよびＩＤカードＣがコピーされた定型のコピー用紙が得られる。
【００４４】
このように、本実施形態のコピー用台紙１０によれば、ループ状切れ目１４に沿ってその内側領域を引き剥がし、コピーするべき個人番号通知カードＭおよびＩＤカードＣを指示枠１５内に位置合わせしつつ貼り付け、必要情報を記載欄に記入し、コピー機によりコピー用紙にコピーするという簡単な作業により、個人番号通知カードＭおよびＩＤカードＣが所定の位置にコピーされたコピー用紙を得ることができる。
【００４５】
すなわち、企業あるいは団体側は、チェック欄２０の必要箇所にチェックを入れたコピー用台紙１０を従業員に配布し、コピーされたコピー用紙を回収するだけで、レイアウトにばらつきがない、定型のコピー用紙を収集することができる。これにより、回収した書類（コピー用紙）の処理業務が容易になる。
【００４６】
また、このコピー用台紙１０には、個人番号の利用目的を示す文字１９が表示されているから、作業者（情報提供者）は利用目的を確認することができる。また、企業または団体側は、コピー用台紙１０を情報提供者に渡すことで情報提供者に利用目的を併せて開示することができるとともに、コピー用紙回収後は、コピー用紙を利用目的を開示した証拠とすることができる。
【００４７】
また、利用目的は複数種が記載され、それらを選択するチェック欄２０が併せて表示されているから、企業または団体側は、コピー用台紙１０を情報提供者に配布するのに先立ってチェック欄２０にチェックを入れることにより、複数の利用目的の中からどの利用目的のために情報を収集するのかを情報提供者に簡単に示すことができる。
【００４８】
＜実施形態２＞
実施形態２のコピー用台紙３０は、上記実施形態のコピー用台紙１０（マイナンバー確認票）に、配偶者（国民年金第３号被保険者）のマイナンバー確認票  兼  委任状が一体に設けられているところが実施形態１と相違している。以下、実施形態１と同じ構成は実施形態１の符号に２０を足した符号で表し、詳細な説明は省略する。
【００４９】
実施形態２のコピー用台紙３０はＡ４サイズとされており、図５に示すように、上方側の領域は実施形態１のコピー用台紙１０と同じ構成とされている。
【００５０】
一方、下方側の領域は、配偶者（国民年金第３号被保険者）マイナンバー確認票  兼  委任状４２とされており、ここに、マイナンバー確認票のループ状切れ目３４と同じ構成のループ状切れ目４４と、指示枠３５と同じ構成の指示枠４５が設けられている。この指示枠３５の内側は、配偶者の個人番号通知カードＭまたは個人番号カードが貼り付けられる情報表示部４２Ａとされている。
【００５１】
また、ループ状切れ目４４および指示枠４５の内側の領域には、ループ状切れ目３４および指示枠３５の内側領域に印刷されている文字３６，３７と同じ文字４６，４７や三角印４８が印刷されている。
【００５２】
指示枠４５の下方側の領域には、「委任状」の文字と、「私は、国民年金第３号被保険者の届出事務で使用する個人番号について以下の者を代理人に定め、貴社に提出する権限を委任します。」の文字が表示されている。
【００５３】
さらにこれらの文字の下方側の領域には、代理人氏名記載欄と、本人との続柄記載欄と、年月日記載欄と、委任者記載欄とが表示されている。
【００５４】
このような本実施形態のコピー用台紙３０によれば、上記実施形態１と同様の作用効果に加え、配偶者の個人番号通知カードＭ（個人番号カード）や委任状４２も併せてコピーすることができるから、これらを別途回収する場合と比較して、情報提供者および回収側の双方とも便利である。
【００５５】
＜実施形態３＞
実施形態３のコピー用台紙５０は、上記実施形態１のコピー用台紙１０に加え、さらに詳しいコピー手順等が表示されているところが相違している。以下、実施形態１と同じ構成は実施形態１の符号に４０を足した符号で表し、詳細な説明は省略する。
【００５６】
コピー用台紙５０はＡ４サイズとされており、図６に示すように、上方側の領域は実施形態１のコピー用台紙１０と同じ構成とされている。
【００５７】
一方、下方側の領域には、詳しいコピー手順や注意事項が表示されている。具体的には、「上記に通知カード及び本人確認（免許証）を貼りつけて、「個人番号確認台帳」にコピーしてください。」「給紙方向にご注意ください。」「台帳は▲方向に給紙してください。」「１度プリンタに通した台帳は、再度プリンタに通さないでください。」「免許証を持っていない人は、別途、パスポート、保険証などをコピーして提出してください。」の文字５７が表示されている。
【００５８】
これらの文字５７は、コピー不能な例えばＯＣＲインキにより印刷されている。すなわち、コピー用台紙５０をコピーした際に、これらＯＣＲで印刷された文字５７はコピー用紙側には表示されないようになっている。
【００５９】
このような本実施形態のコピー用台紙５０によれば、上記実施形態１と同様の作用効果に加え、ＯＣＲインキを使用することにより、コピー用台紙５０の所望の位置にコピー手順等の必要な情報を印刷しながら、その印刷された情報をコピー用紙側に表示させないようにすることができる。
【００６０】
よって、このようなコピー用台紙５０は、例えば図示しない専用の形式の用紙（例えば個人番号確認台帳等）の所定の位置に個人番号通知カードＭおよびＩＤカードＣを直接コピーする場合に、専用の形式の用紙側に不要な情報をコピーせずに済むため、特に有効である。
【００６１】
＜他の実施形態＞
本明細書により開示される技術は上記記述及び図面によって説明した実施形態に限定されるものではなく、例えば次のような実施形態も技術的範囲に含まれる。
【００６２】
（１）上記実施形態では、個人番号通知カードＭおよびＩＤカードＣの２種類の情報記載物をコピー用紙の所定位置にコピーさせるべくコピー用台紙１０，３０，５０に貼り付ける例を示したが、本明細書に開示される技術は、例えば写真付きの個人番号カード等、１種類の情報記載物を載せる形態のものや、４種類以上の情報記載物を載せる形態のものにも適用できる。
【００６３】
（２）また、情報記載物としては、個人番号通知カードや運転免許証の他、パスポートや年金手帳、在留カード、健康保険証等、他の種類のものを採用してもよい。あるいは、写真等でもよい。
【００６４】
（３）指示枠１５，３５，４５，５５は省略してもよい。
【００６５】
（４）上記実施形態では、コピー用台紙１０の粘着剤層１２を全面に設けたが、少なくとも、ループ状切れ目１４の内側領域に設けられていればよい。
【００６６】
（５）貼り付けるべき情報記載物の種別を示す文字１６，３６，４６，５６は、必ずしも印刷されていなくてもよい。
【００６７】
（６）コピー手順も示す文字１７，３７，４７，５７は、必ずしも印刷されていなくてもよい。
【００６８】
（７）利用目的１９，３９，５９やチェック欄２０，４０，６０は、省略することもできる。
【００６９】
（８）上記実施形態では、ループ状切れ目１４，３４，４４，５４を指示枠１５，３５，４５，５５内の上側に配したが、指示枠内のどの位置に設けてもよく、また、どのような形で設けてもよい。例えば、指示枠の中央部に設けてもよく、指示枠とほぼ重なるように設けてもよい。あるいは、ループ状切れ目の一部がコピー用台紙の縁部と重なるように構成し、換言すると、コピー用台紙の縁部をループ状切れ目の一部のように利用し、剥離シートの一部をその周辺領域から切り離して基材シートから剥離する構成としてもよい。要するに、情報記載物が仮保持できる形態であればよい。
【００７０】
（９）上記実施形態２では、配偶者（国民年金第３号被保険者）個人番号確認票  兼  委任状  ４１を個人番号確認票と一体に設けたが、例えば図７に示すように、別のコピー用台紙７０としてもよい。
【符号の説明】
【００７１】
１０，３０，５０，６０，７０…コピー用台紙
１１…基材シート
１２…粘着剤層
１３，３３，５３…剥離シート
１４，３４，４４，５４…ループ状切れ目
１５、３５，４５，５５…指示枠（位置指示枠）
１６，３６，４６，５６…文字（情報記載物の種類を示す文字）
１７，３７，４７，５７…文字（コピー手順を示す文字）
１８，３８，４８，５８…三角印（起点部分を示すマーク）
１９，３９，５９…文字（利用目的を示す文字）
２０，４０，６０…チェック欄
２１…氏名記載欄（提出者名の記載欄）
４２…委任状
４２Ａ…情報表示部
Ｍ…個人番号通知カード（情報記載物）
Ｃ…ＩＤカード（情報記載物、身元確認書類）
【図１】
0003201706.tif 000003
【図２】
0003201706.tif 000004
【図３】
0003201706.tif 000005
【図４】
0003201706.tif 000006
【図５】
0003201706.tif 000007
【図６】
0003201706.tif 000008
【図７】
0003201706.tif 000009